(57)【要約】【課題】  簡単な構成でリヤデッキ部の剛性を向上させつつ、同時にサスペンション取付部であるサスタワー部の剛性を向上させることができる車両の後部車体構造を提供する。【解決手段】  後部車体における左右一対のクォーターパネル５上部間に架設されたリヤデッキメンバー６と、このリヤデッキメンバー６の両端部下方に配設されたサスペンション取付部７２を含む左右一対のホイルハウスインナーパネル７とを備える。各ホイルハウスインナーパネル７におけるサスペンション取付部７の近傍部分とリヤデッキメンバー６とを連結する左右一対のガセット部材９が設けられる。各ガセット部材９がホイルハウスインナーパネル７側からリヤデッキメンバー６側にかけて車幅方向内側に傾倒している。【選択図】        図３
2005186828.tif 000002
【特許請求の範囲】
【請求項１】
後部車体における左右一対の側壁上部間に架設されたリヤデッキメンバーと、このリヤデッキメンバーの両端部下方に配設されたサスペンション取付部を含む左右一対のホイルハウスインナーパネルとを備えた車両の後部車体構造において、
各ホイルハウスインナーパネルにおけるサスペンション取付部またはその近傍部分と上記リヤデッキメンバーとを連結する左右一対のガセット部材が設けられ、各ガセット部材がホイルハウスインナーパネル側からリヤデッキメンバー側にかけて車幅方向内側に傾倒していることを特徴とする車両の後部車体構造。
【請求項２】
上記ガセット部材がプレート状に形成され、このガセット部材の所定部分が上記一対のホイルハウスインナーパネル間に配設されたリヤフロアパネルに接合されていることを特徴とする請求項１記載の車両の後部車体構造。
【請求項３】
上記ガセット部材は、ホイルハウスインナーパネル側からリヤデッキメンバー側にかけて車両後方側に傾倒していることを特徴とする請求項１または請求項２記載の車両の後部車体構造。
【請求項４】
上記左右一対のホイルハウスインナーパネル間に配設されたリヤフロアパネルを備え、このリヤフロアパネルと上記左右一対のホイルハウスインナーパネルとリヤデッキメンバーとにより囲まれる領域に、車室側と荷室側とを仕切るバルクヘッドが少なくともホイルハウスインナーパネル及びリヤデッキメンバーに接合された状態で取り付けられ、上記ガセット部材のホイルハウスインナーパネル側結合部及びリヤデッキメンバー側結合部の少なくともいずれか一方が上記バルクヘッドと共に接合されていることを特徴とする請求項１ないし請求項３のいずれか１項に記載の車両の後部車体構造。
【請求項５】
上記フロアパネルの下方側には燃料タンクが設けられ、荷室側に設けられた燃料供給口から該燃料タンクに燃料を導入する燃料導入管が車室側を介して配管され、上記バルクヘッドにはこの車室側の燃料導入管を被覆するカバープレートが設けられていることを特徴とする請求項４記載の車両の後部車体構造。
【請求項６】
上記カバープレートが上記バルクヘッドと別体に設けられていることを特徴とする請求項５記載の車両の後部車体構造。
【発明の詳細な説明】
【技術分野】
【０００１】
本発明は、左右一対の側壁上部間に架設されたリヤデッキメンバーを有する車両の後部車体構造に関し、特にオープンカー等、ルーフパネル付きの車両等に比して後部車体の剛性が若干低い車両の後部車体構造に関する。
【背景技術】
【０００２】
ルーフパネル及びこれを支持するピラーを持たない車両、いわゆるオープンカーの後部車体構造としては、例えば特許文献１に記載されるように、後部車体の側壁下部付近で前後方向に延びる左右一対のサイドシルと、両サイドシル間に配設されるリヤフロアパネルと、このリヤフロアパネルの車幅方向両端部に配設されたホイルハウスインナーパネルと、このホイルハウスインナーパネルの上方で車幅方向に伸張するリヤデッキメンバーとを備えたものが知られている。そして、このようなオープンカーでは、ルーフパネル及びピラーを有しないことから、ルーフパネル付きの車両と比べて、車体の剛性、特に後部車体の剛性が低いことが多い。従って、オープンカーでは、後部車体の剛性を向上させるべく、種々の工夫が凝らされているのが一般的である。
【０００３】
上記特許文献１記載のオープンカーの後部車体構造においても、上記サイドシルとリヤデッキメンバーとをホイルハウスインナーパネルに沿って設けられたレインフォースメントで連結し、このレインフォースメントとリヤデッキメンバーとで車体後上部の剛性を高めている。
【０００４】
ところで、上記ホイルハウスインナーパネルには、サスペンションを取り付けるサスペンション取付部、いわゆるサスタワー部が設けられるのが一般的であり、該サスタワー部にはサスペンションを介してタイヤに作用する荷重等が作用する。従って、このサスタワー部を補強してサスタワー部の剛性向上を図ることが望まれている。例えば、特許文献２には、この後部車体構造について、サスタワー部を含むホイルハウスインナーパネルの下部拡開部分にその車幅方向外側からホイルハウスレインホースメントを添えてホイルハウスインナーパネルとともに閉断面部を形成することにより、サスタワー部の剛性を向上させてその倒伏を防止する技術が開示されている。
【特許文献１】特開平１１−１１５８２０号公報
【特許文献２】実開昭６２−１３０９８６号公報
【発明の開示】
【発明が解決しようとする課題】
【０００５】
このように、オープンカー等では、特有の車体剛性の低下を補うという問題と、一方、サスタワー部の剛性向上を図るという問題とが個別に存在し、かかる問題を解決すべく種々の工夫が施されている。このような問題を個別に解決すべく、上記特許文献１及び特許文献２に記載のように、各部について剛性の向上を図ることも考えられるが、各部について補強部材等を個別に設けると、部品点数が増加し、またこれに伴って組み立て作業が複雑化したり、車体重量が増加したりするという不都合がある。
【０００６】
本発明は、上記事情に鑑みてなされたものであり、簡単な構成でリヤデッキ部の剛性を向上させつつ、同時にサスペンション取付部であるサスタワー部の剛性を向上させることができる車両の後部車体構造を提供することを目的とする。
【課題を解決するための手段】
【０００７】
上記目的を達成するため、この発明に係る車両の後部車体構造は、後部車体における左右一対の側壁上部間に架設されたリヤデッキメンバーと、このリヤデッキメンバーの両端部下方に配設されたサスペンション取付部を含む左右一対のホイルハウスインナーパネルとを備えた車両の後部車体構造において、各ホイルハウスインナーパネルにおけるサスペンション取付部またはその近傍部分と上記リヤデッキメンバーとを連結する左右一対のガセット部材が設けられ、各ガセット部材がホイルハウスインナーパネル側からリヤデッキメンバー側にかけて車幅方向内側に傾倒していることを特徴とするものである。
【０００８】
この発明によれば、各ホイルハウスインナーパネルにおけるサスペンション取付部またはその近傍部分と上記リヤデッキメンバーとを連結する左右一対のガセット部材がそれぞれ下側から上側にかけて車幅方向内側に傾倒して設けられるので、一対のガセット部材によりリヤデッキメンバーがブレース状に補強され、後部車体の剛性、特に後部車体上部のねじり剛性を大幅に向上させ、これによりリヤデッキメンバーの変形を効果的に抑制することができる。同時に、ホイルハウスインナーパネルがガセット部材によって車幅方向内側から支持されるため、ホイルハウスインナーパネル、特にサスペンション取付部の剛性を向上させることができ、車幅方向のサスペンション取付部の倒伏を有効に防止することができる。しかも、このリヤデッキメンバー及びホイルハウスインナーパネルの補強部材であるガセット部材を有効に利用して、サスペンションに入力された荷重をリヤデッキメンバーに伝達することができ、入力荷重を効率よく分散させることができる。
【０００９】
上記ガセット部材の具体的形状は、管状、Ｈ鋼状等のものであってもよく、また、ガセット部材が接合される部材は、上記リヤデッキメンバーとホイルハウスインナーパネルとだけに限定されるものではないが、好ましくは、上記ガセット部材はプレート状に形成され、このガセット部材の所定部分が上記一対のホイルハウスインナーパネル間に配設されたリヤフロアパネルに接合されるように構成することが望ましい（請求項２）。
【００１０】
このように構成すれば、ガセット部材を介してリヤデッキメンバー、ホイルハウスインナーパネル及びリヤフロアパネルの３者が連結される結果、相互に補強し合うこととなって、車体剛性が大幅に向上するとともに、このプレート状のガセット部材を通じて各部の入力荷重を分散させることによりさらに効率的に支持することができる。
【００１１】
この発明において、上記ガセット部材は、ホイルハウスインナーパネル側からリヤデッキメンバー側にかけて車両後方側に傾倒しているのが好ましい（請求項３）。
【００１２】
このように構成すれば、車幅方向だけでなく、車両前後方向についても筋交状に補強する作用が得られ、車体、特にリヤデッキメンバーの剛性をさらに高めることができる。
【００１３】
この発明において、上記左右一対のホイルハウスインナーパネル間に配設されたリヤフロアパネルを備え、このリヤフロアパネルと上記左右一対のホイルハウスインナーパネルとリヤデッキメンバーとにより囲まれる領域に、車室側と荷室側とを仕切るバルクヘッドが少なくともホイルハウスインナーパネル及びリヤデッキメンバーに接合された状態で取り付けられ、上記ガセット部材のホイルハウスインナーパネル側結合部及びリヤデッキメンバー側結合部の少なくともいずれか一方が上記バルクヘッドと共に接合されるのが好ましい（請求項４）。
【００１４】
このように構成すれば、上記ガセット部材に加えて荷室と車室とを仕切るバルクヘッドを有効に利用してリヤデッキメンバーをさらに効果的に補強することができ、これによりリヤデッキメンバーの剛性、特にそのねじり剛性をさらに向上させることができる。しかも、上記ガセット部材のホイルハウスインナーパネル側結合部及びリヤデッキメンバー側結合部の少なくともいずれか一方が上記バルクヘッドと共に接合されるので、ガセット部材の取付にあたって別途接合部を形成する必要がなく、バルクヘッドとともに簡便に取り付けることができる。
【００１５】
この発明において、上記フロアパネルの下方側には燃料タンクが設けられ、荷室側に設けられた燃料供給口から該燃料タンクに燃料を導入する燃料導入管が車室側を介して配管され、上記バルクヘッドにはこの車室側の燃料導入管を被覆するカバープレートが設けられているのが好ましい（請求項５）。
【００１６】
すなわち、例えばオープンカーでは車体剛性が低く、燃料導入管を車室外側から配管すると車体の剛性低下が懸念される。従って、このように構成すれば、車体の剛性低下を可及的に抑制することができ、しかも万一事故等によって燃料導入管が発火した場合でもカバープレートによってその延焼を効果的に抑制することができ、車室側に配管した場合に生じ得る不都合を確実に防止することができる。
【００１７】
この場合、上記カバープレートが上記バルクヘッドと別体に設けられているのが好ましい（請求項６）。
【００１８】
このように構成すれば、カバープレートによって確実に燃料導入管を被覆することができ、しかも個別に成形されるので、その生産性が向上する。
【発明の効果】
【００１９】
上記構成の発明によれば、ガセット部材によりリヤデッキメンバーをブレース状に補強することができ、該リヤデッキメンバーの剛性、特にねじり剛性を向上させることができ、同時にガセット部材によりホイルハウスインナーパネルに設けられたサスペンション取付部を補強することができ、サスペンション取付部の倒伏を有効に防止することができる。すなわち、ガセット部材によりリヤデッキメンバーとサスペンション取付部の剛性を共に向上させることができ、これにより簡単な構成で後部車体構造の剛性を飛躍的に向上させることができる。しかも、この両者の補強部材であるガセット部材を有効に利用してサスペンションに入力された荷重をリヤデッキメンバーに伝達することができ、簡単な構成で入力荷重を効率よく分散させて支持することができる。
【発明を実施するための最良の形態】
【００２０】
本発明の好ましい実施の形態を図面に基づいて説明する。なお、ここでは、ルーフパネル及びこれを支持するピラーを持たないいわゆるオープンカーを例にとって説明するが、本発明に係る車両の後部車体構造を適用し得る車両はこれに限らず、リヤデッキメンバーが設けられている車両に広く適用可能である。
【００２１】
図１及び図２は、本実施形態の車両の後部車体構造を一部の部材が取り付けられていない状態で示す斜視図である。図３及び図４は、同後部車体構造を示す斜視図及び平面図である。
【００２２】
本実施形態の車両の後部車体構造は、車両の前後方向に延びる左右一対のリヤサイドフレーム２と、車幅方向に沿ってこれらのリヤサイドフレーム２間に架設されたリヤクロスメンバー３と、これらのリヤサイドフレーム２及びリヤクロスメンバー３上に接合されたリヤフロアパネル４と、このリヤフロアパネル４の車幅方向（左右方向）両端部に配設された左右一対のクォーターパネル５（車体側壁）と、これらの一対のクォーターパネル５間に架設されたリヤデッキメンバー６と、このリヤデッキメンバー６の長手方向両端部の下方に配設されたサスペンション取付部７２を含む左右一対のホイルハウスインナーパネル７と、上記リヤフロアパネル４、上記左右一対のホイルハウスインナーパネル７及びリヤデッキメンバー６により囲まれる領域に配設されるバルクヘッド８と、上記リヤフロアパネル４、リヤデッキメンバー６及びホイルハウスインナーパネル７の３点に接合されるガセット部材９とを備え、クォーターパネル５及びエンドパネル１０により取り囲まれる車内後方空間が上記バルクヘッド８によって車室Ａ側と荷室Ｂ側に仕切られている。
【００２３】
リヤサイドフレーム２は、長手方向に直交する断面が略Ｕ字状に形成されたフレーム本体２１と、このフレーム本体２１の開口上端縁から左右方向に延出するフレームフランジ部２２とを備え、全体として断面略逆ハット状に形成されている。このフレーム本体２１内における上記クロスメンバー３の接合部分の前後には、レインフォースメント２４がフレーム本体２１の内側壁間に配設されることにより、左右方向に作用する荷重に対する強度を向上させている。一方、車幅方向内側のフレームフランジ部２２における上記サスペンション取付部７２の前方には、補強ブラケット２３が車幅方向の内側に突出した状態で設けられる。この補強ブラケット２３は、周縁部にフランジ２３ａを有し、上記フレーム本体２１の側面に接合されてこの側面と共に上方に開口する碗形状を構成している（図７参照）。このフランジ２３ａと上記フレームフランジ部２２との境界近傍位置（後方側の境界近傍位置）には、ガセット部材９を取り付けるための取付部であるボルト挿通孔２５が板厚方向に貫通して設けられている（図８参照）。
【００２４】
また、このリヤサイドフレーム２は、前端部がフロントフロアパネル（図示せず）から連設され上方に立ち上がる段差部１１の後面側に接合される一方、上記フレームフランジ部２２及び補強ブラケット２３のフランジ２３ａの各上面がリヤフロアパネル４の下面にスポット溶接されている。
【００２５】
リヤクロスメンバー３は、上記リヤサイドフレーム２と同様に、長手方向に直交する断面が略Ｕ字状に形成されたクロスメンバー本体３１と、このクロスメンバー本体３１の開口上端縁から前後方向に延出する取付フランジ部３２とを備え、全体として断面略逆ハット状に形成されている。このリヤクロスメンバー３は、長手方向両端部が上記リヤサイドフレーム２の車幅方向内側の側面であって、上記サスペンション取付部７２から僅かに後方に変位した位置に接合されている。また、クロスフランジ部３２の上面が上記リヤフロアパネル４の下面にスポット溶接されている。
【００２６】
そして、このリヤクロスメンバー３の前方であって、上記一対のリヤサイドフレーム２の間には、燃料タンク１５が配設され、この燃料タンク１５の上方に上記リヤフロアパネル４が設けられている。この燃料タンク１５は、複数個のタンクブラケットを介して上記リヤサイドフレーム２、リヤクロスメンバー３等に支持され、クォーターパネル５（本実施形態では車体左側壁）に設けられた燃料供給口１７から延びる燃料導入管１６が接続されている。具体的には、燃料導入管１６は、荷室Ｂ側に設けられた燃料供給口１７から荷室Ｂを経由して、車室Ａ側に配管され、この車室Ａ側で燃料タンク１５の後部に上方に開口する燃料挿入部１５０を介して燃料タンク１５に接続されている。
【００２７】
一方、リヤフロアパネル４は、前縁部が上記段差部１１の上端に接合されるとともに、後縁部がエンドパネル１０の近傍位置にまで延設され、両端部が僅かに上方に折り曲げられてクォーターパネル５やホイルハウスインナーパネル７の内壁面に接合される接合代部として形成されている。また、リヤフロアパネル４は、図２に示すように、その中央部が開口して該開口部を通じて燃料タンク１５の上記燃料挿入部１５０が車室Ａ側に露出し、この燃料挿入部１５０から延びる上記燃料導入管１６がパネル上面に沿って配管されている。
【００２８】
一方、左右一対の上記クォーターパネル５はホイルハウスの上方に設けられたリヤフェンダー５１を含み、このリヤフェンダー５１に上記燃料供給口１７が設けられている。そして、これら一対のクォーターパネル５の上部内側壁間には、筒状に形成されたリヤデッキメンバー６がその両端部に設けられたメンバー接合部６１を介して強固に取り付けられている。
【００２９】
リヤデッキメンバー６は、角筒状に形成されるとともに、長手方向に沿って僅かに湾曲して上方に突出するアーチ状に形成されている。このリヤデッキメンバー６の前面における長手方向両端縁から車幅方向内側に変位した位置には、ガセット部材９が接合される２個の取付突出部６２が前方に突出した状態で設けられている。この取付突出部６２は、リヤデッキメンバー６とガセット部材９との寸法誤差を吸収するものである。この取付突出部６２には、その中央部にボルト挿通孔６７が設けられ、このボルト挿通孔６７に挿通されたボルトによってガセット部材９がバルクヘッド８とともにリヤデッキメンバー６に接合される（図８参照）。
【００３０】
具体的には、リヤデッキメンバー６は、図５に示すように、長手方向に直交する断面が略台形状に形成され、その上面及び後面を形成する上後面壁６４と、下面を形成する下面壁６５と、前面を形成する前面壁６６との計３部材から構成されている。上後面壁６４は、リヤフロアパネル４と略平行に配置される上面壁部６４ａと、この上面壁部６４ａの後端縁から垂下して配置される後面壁部６４ｂとを備え、後面壁部６４ｂの下端縁から後方に第１接合部６４ｃが延設されるとともに、この第１接合部６４ｃの後端縁に雨水等をクォーターパネル５側に導くための樋部６４ｄが形成されている。
【００３１】
下面壁６５は、その後端縁部に上記第１接合部６４ｃに重ね合わされる第２接合部６５ａが設けられ、この第２接合部６５ａの先端縁から垂下壁を介して前方に向かうに伴って下方に傾斜する傾斜下面部６５ｂが延設されている。一方、前面壁６６は、その上下寸法が上記後面壁部６４ｄよりも大きく形成されている。この前面壁６６は、上記上面壁部６４ａの前端部下面に重合されて接合される第３接合部６６ａと、この第３接合部６６ａの後端縁からＬ字状の屈曲部を経て上面壁部６４ａに対して略直行する方向に垂下する垂下面部６６ｂとを有している。そして、この垂下面部６６ｂの下端縁から上記傾斜面部６５ｂに重ね合わされる第４接合部６６ｃが設けられる。上記取付突出部６２は、対応する部分の第４接合部６６ｃが斜め上方に向かって台形状に膨出することにより形成されている。
【００３２】
そして、このリヤデッキメンバー６は、上記構成部材６４〜６６の各接合部がスポット溶接により強固に接合され、後部車体の上部剛性を維持するものとなされている。
【００３３】
ホイルハウスインナーパネル７は、図１ないし図４に示すように、車両の前後方向にアーチ状に形成されたインナーパネル本体７１と、このインナーパネル本体７１の後部における車幅方向内側寄りに配設されたサスペンション取付部７２とを備える。インナーパネル本体７１は、図７に示すように、車幅方向について略扇状に形成され、外端部がホイルハウスアウターパネル１３に溶接されるとともに、内端部がリヤサイドフレーム２のフレームフランジ部２２の裏面及びフレーム本体２１の外側面に溶接されている。そして、このインナーパネル本体７１の後部が車幅方向外側に向かって退入し、この退入部７３のやや前方に位置するインナーパネル本体７１の所定部分には、上記ガセット部材９の取付部となるボルト挿通孔７５が板厚方向に貫通して設けられている。なお、図７は車幅方向右側のホイルハウスインナーパネル７を示す断面図である。
【００３４】
また、上記退入部７３には、サスペンション取付部７２が配設されている。このサスペンション取付部７２は、インナーパネル本体７１から上方に突出する円筒状部材であり、内部にサスペンション（図示せず）のショックアブソーバーやコイルバネ等が配設される、いわゆるサスタワーと呼ばれるものである。このサスペンション取付部７２は、インナーパネル本体７１と一体に設けられるものであってもよいが、本実施形態ではインナーパネル本体７１とは別体として設けられ、該インナーパネル本体７１に溶接等によって接合されている。
【００３５】
バルクヘッド８は、一部が膨出ないし凹陥等されて形成される板状部材であり、リヤフロアパネル４、リヤデッキメンバー６、及びホイルハウスインナーパネル７のそれぞれに接合されている。このバルクヘッド８は、図３に示すように、中央部が若干前方に膨出して形成されたバルクヘッド本体８１を有し、このバルクヘッド本体８１の上部における車幅方向中央部には、バルクヘッド８をリヤデッキメンバー６に接合するためのボルト取付部８２が若干凹陥して形成されている。また、バルクヘッド本体８１は、その車幅方向両端部が湾状に切り欠かれた湾曲部８３として構成され、該湾曲部８３にサスペンション取付部７２が配設されている。なお、図示しないが、バルクヘッド本体８１は、ガセット部材９の各ボルト挿通孔９１ａ，９２ａ，９２ｂに対応してボルト挿通孔が設けられ、ガセット部材９とともにリヤデッキメンバー６に接合されるものとなされている。また、バルクヘッド本体８１の左側下端部が切り欠かれて上記燃料導入管１６等を荷室Ｂ側から車室Ａ側に導入する燃料管導入部が形成されている。
【００３６】
そして、図３及び図４に示すように、リヤフロアパネル４の上面であってバルクヘッド８の前面側に、バルクヘッド８の燃料導入部を通して車室Ａ側に導入された燃料導入管１６を被覆するカバープレート１８が設けられている。このカバープレート１８は、不燃性の材料により上記バルクヘッド８とは別個に扁平な皿状体として形成されている。また、このカバープレート１８は、燃料導入管１６とともに燃料タンク１５の燃料挿入部１５０を被覆するものとなされ、事故等により万一燃料導入管１６等が発火した場合でも車室Ａ側への延焼を防止させるようになされている。
【００３７】
ところで、このようなオープンカーでは、オープンカー等特有の車体剛性の低下を補うべく、リヤデッキメンバー６等が設けられているが、さらなる剛性向上を図ることが望まれる。一方、上記サスペンション取付部７２は上方に突出して形成されるため、この剛性を向上させてサスペンション取付部７２の倒伏を有効に防止することも望まれる。このような場合に、各部について個別に剛性の向上を図ることも考えられるが、各部について補強部材を個別に設けると、部品点数が増加し、またこれに伴って組み立て作業が複雑化したり、車重が増加したりするという不都合がある。そこで、本実施形態のオープンカーでは、リヤデッキメンバー６とサスペンション取付部７２とをガセット部材９で連結し、このガセット部材９によって両部の剛性を一挙に向上させている。
【００３８】
すなわち、このガセット部材９は、図１ないし図４に示すように、バルクヘッド８の前面側に左右一対設けられ、それぞれ対応するホイルハウスインナーパネル７の所定部分であってサスペンション取付部７２の近傍位置（ボルト挿通孔７５）、及びリヤデッキメンバー６の取付突出部６２に接合されるとともに、リヤフロアパネル４の上面所定部分（ボルト挿通孔２５に対応する部分）にも接合され、これによりリヤフロアパネル４、リヤデッキメンバー６及びホイルハウスインナーパネル７を相互に連結している。また、左右一対のガセット部材９はホイルハウスインナーパネル７やリヤフロアパネル４側からリヤデッキメンバー６に向けて車幅方向内側に傾倒して配設され、全体として正面視ハの字状に配置されている。また、ガセット部材９は、ホイルハウスインナーパネル７側からリヤデッキメンバー６側にかけて車両後方側に傾倒して配設されている。従って、リヤデッキメンバー６は一対のガセット部材９によって筋交状に支持され、その剛性、特にねじり剛性を向上させるように構成されている。
【００３９】
このガセット部材９の具体的構成を、車幅方向右側に配設されるガセット部材９を例にとって説明するが、車幅方向左側に配設されるガセット部材９も同様に構成されている。図６は、この車幅方向右側に配設されるガセット部材９を示す斜視図である。
【００４０】
ガセット部材９は、正面視略台形状のプレート状体であり、板材が山折り、谷折りされた複数の面から構成されるガセット本体９０と、該ガセット本体９０の上端縁から後方に傾斜して上記リヤデッキメンバー６の傾斜下面部６５ｂに略平行に配置されるフランジ状のメンバー側結合フランジ部９１と、下端部が前方に折り曲げられ上記ガセット本体９０の下端縁から前方に延出して左右両端部においてそれぞれホイルハウスインナーパネル７またはリヤフロアパネル４に結合されるパネル側結合フランジ部９２とを備えている。
【００４１】
上記ガセット本体９０は、下端縁から上端縁にかけて順次縮幅して形成されるとともに、車幅方向内側に傾倒したような状態で設置されるようになっている。このガセット本体９０を構成する面の数は特に限定するものではなく、取付の便宜や強度等を考慮して適宜設定される。
【００４２】
メンバー側結合フランジ部９１は、ガセット本体９０に対して後方に傾倒して設けられている（図８参照）。そして、メンバー側結合フランジ部９１は、略平面状に形成され、その左右両端部にはボルト挿通孔９１ａが設けられている。
【００４３】
一方、パネル側結合フランジ部９２は、リヤフロアパネル４とホイルハウスインナーパネル７との隅部にこれらの両パネル４，７間に筋交状に配設されるフランジであり、各パネル４，７に接合するためのボルト挿通孔９２ａ，９２ｂが左右両端部に設けられている。このパネル側結合フランジ部９２は、その車幅方向外側端部がホイルハウスインナーパネル７のボルト挿通孔７５近傍の形状に沿って設置され、一方、その車幅方向内側端部がリヤフロアパネル４の上面に沿って設置されている（図７参照）。
【００４４】
そして、このガセット部材９が次のようにして後部車体に取り付けられている。すなわち、ガセット部材９のメンバー側結合フランジ部９１を、バルクヘッド８を介してリヤデッキメンバー６の取付突出部６２に適正に重ね合わせる。この状態では、各ボルト挿通孔９１ａ，６７が一致しているとともに、パネル側結合フランジ部９２がリヤフロアパネル４とホイルハウスインナーパネル７との間に筋交状に適正に配置され、各ボルト挿通孔９２ａ，９２ｂ，７５，２５が一致している。なお、一致させるべきボルト挿通孔は、各々ボルト径よりも大きく開口し、寸法誤差を吸収しうるものとなされている。
【００４５】
次に、メンバー側結合フランジ部９１をリヤデッキメンバー６にボルトによりバルクヘッド８と共に接合し、かつ、パネル側結合フランジ部９２をリヤフロアパネル４及びホイルハウスインナーパネル７にボルトによりバルクヘッド８と共に接合する。特に、パネル側結合フランジ部９２とリヤフロアパネル４との接合にあたっては、これらと、図９に示すように、リヤフロアパネル４の下面側に配設されたリヤサイドフレーム２の補強ブラケット２３のフランジ２３ａおよび上記バルクヘッド８のバルクヘッド本体８１とをボルトＢで一体的に接合することにより、この接合部分の強度を向上させ、後部車体の剛性をより向上させている。
【００４６】
上記車両の後部車体構造によれば、各ホイルハウスインナーパネル７におけるサスペンション取付部の近傍部分（ボルト挿通孔７５）とリヤデッキメンバー６とを連結する左右一対のガセット部材９がそれぞれ車幅方向内側に傾倒して設けられているので、リヤデッキメンバー６がブレース状に補強され、後部車体の剛性を大幅に向上させることができる。しかも、ホイルハウスインナーパネル７がガセット部材９によって車幅方向内側から支持されるため、ホイルハウスインナーパネル７、特にサスペンション取付部７２の剛性を向上させることができる。また、このガセット部材９を有効に利用して、サスペンションに入力された荷重をリヤデッキメンバー６、特にその車幅方向中央部に伝達することができ、車両の挙動を安定させつつ、入力荷重を効率よく分散させて支持することができる。
【００４７】
特に、本実施形態の後部車体構造では、ガセット部材９がリヤデッキメンバー６とホイルハウスインナーパネル７とだけでなく、リヤフロアパネル４にまで接合されているので、該ガセット部材９によって各部４，６，７を２方向から支持することができるとともに、入力荷重を２方向に分散させることができ、後部車体剛性がより高められた構造となっている。
【００４８】
なお、本発明の固定構造の具体的構成は上記実施形態に限定されず、種々変更可能である。他の実施形態を以下に説明する。
【００４９】
（１）上記実施形態では、ガセット部材９のホイルハウスインナーパネル７側の結合部分がサスペンション取付部７２の前方近接位置におけるホイルハウスインナーパネル７の所定部分に接合されているが、ホイルハウスインナーパネル７に対するガセット部材９の接合位置はこれに限定されるものではなく、例えばサスペンション取付部７２の所定部分に接合されるものや、サスペンション取付部７２の後方或いは側方近接位置におけるホイルハウスインナーパネル７の所定部分に接合されるものであってもよい。
【００５０】
（２）上記実施形態では、ガセット部材９としてプレート状に形成されたものを用いているが、ガセット部材９の具体的形状は特に限定するものではなく、例えば管状のガセット部材や断面視Ｈ字状のガセット部材等、その他の断面視公知形状のガセット部材を用いるものであってもよい。
【００５１】
（３）上記実施形態では、カバープレート１８がバルクヘッド８と別体に設けられているが、該バルクヘッドと一体成形されるものであってもよい。ただし、上記実施形態のように別体に設けると、バルクヘッド８とリヤフロアパネル４との寸法誤差があるような場合でも、確実に燃料導入管１６とともに燃料挿入部１５０を被覆することができ、しかも嵩張ることもないので、成形、保管等に便利である。
【００５２】
（４）上記実施形態において、サスペンション取付部７２の倒伏をより確実に防止する観点から、ホイルハウスインナーパネル等にさらに補強部材を設けてもよく、この場合でも従来の補強部材に比べて補強部材をより簡便なものとすることができる。
【００５３】
（５）上記実施形態ではガセット部材９をリヤフロアパネル４とその下面側に位置する補強ブラケット２３のフランジ２３ａに取り付けるものとなされているが、リヤフロアパネル４の単体に取り付けるものであってもよく、また補強ブラケット２３を設けないような場合にはリヤサイドフレーム２のフランジ部２２とともに取り付けるように構成してもよい。
【図面の簡単な説明】
【００５４】
【図１】本実施形態に係る車両の後部車体構造をリヤフロアパネル、バルクヘッド及びガセット部材を省略した状態で示す斜視図である。
【図２】同後部車体構造をバルクヘッドを省略した状態で示す斜視図である。
【図３】同後部車体構造を示す斜視図である。
【図４】同後部車体構造を示す平面図である。
【図５】同後部車体構造のリヤデッキメンバーを示す断面図である。
【図６】同後部車体構造のガセット部材を示す斜視図である。
【図７】同後部車体構造の車幅方向に沿った部分断面図である。
【図８】同後部車体構造の車両前後方向に沿った部分断面図である。
【図９】ガセット部材とリヤフロアパネルとの接合部分を示す断面図である。
【符号の説明】
【００５５】
４    リヤフロアパネル
５    車体側壁
６    リヤデッキメンバー
７    ホイルハウスインナーパネル
８    バルクヘッド
９    ガセット部材
１５  燃料タンク
１６  燃料導入管
１７  燃料供給口
１８  カバープレート
７２  サスペンション取付部
７５  ボルト挿通孔
９１  メンバー側結合フランジ部
９１ａ      ボルト挿通孔
９２  パネル側結合フランジ部
９２ａ，９２ｂ    ボルト挿通孔
１５０      燃料挿入部
Ａ    車室
Ｂ    荷室
【図１】
2005186828.tif 000003
【図２】
2005186828.tif 000004
【図３】
2005186828.tif 000005
【図４】
2005186828.tif 000006
【図５】
2005186828.tif 000007
【図６】
2005186828.tif 000008
【図７】
2005186828.tif 000009
【図８】
2005186828.tif 000010
【図９】
2005186828.tif 000011